【事件の表示】
　平成　７年特許願第２１９７４６号「玉磨き揚送装置」拒絶査定不服審判事件〔平成　９年　２月１０日出願公開、特開平　９−　３８３１４〕について、次のとおり審決する。
【結　論】
　本件審判の請求は、成り立たない。
【理　由】
１．手続きの経緯
　本願は、平成７年８月４日の出願であって、平成１７年９月５日付の拒絶理由が通知され、平成１７年１１月１４日付の意見書および手続補正書が提出され、さらに、平成１８年６月８日付の拒絶理由が通知され、平成１８年８月１０日付の意見書が提出され、平成１８年１２月７日付で拒絶査定がなされ、これに対して平成１９年１月１１日に拒絶査定に対する審判請求がなされるとともに、平成１９年２月９日付で手続補正がなされ、平成２０年６月１９日付で審尋がなされ、平成２０年８月２２日付の回答書が提出されたものである。
　　　　　　　　　　　　　　　　　　　　　　　　　　　　　　　
２．平成１９年２月９日付の手続補正についての補正却下の決定
［補正却下の決定の結論］
　平成１９年２月９日付の手続補正を却下する。
　　　　　　　　　　　　　　　　　　　　　　　　　　　　　　　　
［理由］
［１］補正の内容と補正の適否
　平成１９年２月９日付の手続補正（以下、「本件補正」という。）は、平成１７年１１月１４日付の手続補正された下記１）の特許請求の範囲の請求項１を、下記２）の特許請求の範囲の請求項１とするものである。
　　　　　　　　　　　　　　　　　　　　　　　　　　　　　　
１）平成１７年１１月１４日付の手続補正による特許請求の範囲　　　　　　　　　　　　　　　　　　　　　　　　　　
　「【請求項１】　モータによって揚送筒本体に周回せしめられる搬送ベルトと前記揚送筒本体の一側のベルト周回面を覆うように取り付けられ且つパチンコ玉を一列状に揚送する玉通路が複数列形成されたガイドレールカバーに装着されパチンコ玉に付着した汚れを拭き取るベルトとにパチンコ玉を挟持することにより、該パチンコ玉を研磨揚送する玉磨き揚送装置において、
　前記玉通路に沿って揚送される各々の玉列の玉の通過の有無を検出するセンサーを設けると共に、該センサーからの検出信号を揚送装置を駆動制御する駆動制御手段に入力し、
　前記駆動制御手段に玉磨き揚送装置の下部においてパチンコ玉の流入を電気的駆動源によって阻止するストッパー装置を接続し、前記搬送ベルトによる搬送動作を停止する際に操作される停止操作手段の指令に基づいて前記電気的駆動源を駆動してストッパー装置を閉成した後前記センサーが玉の通過を検出しなくなって所定時間経過したときに前記モータの駆動を停止するようにしたことを特徴とする玉磨き揚送装置。　」
　　　　　　　　　　　　　　　　　　　　　　　　　
２）平成１９年２月９日付の手続補正による特許請求の範囲
　「【請求項１】　モータによって揚送筒本体に周回せしめられる搬送ベルトと前記揚送筒本体の一側のベルト周回面を覆うように取り付けられ且つパチンコ玉を一列状に揚送する玉通路が複数列形成されたガイドレールカバーに装着されパチンコ玉に付着した汚れを拭き取るベルトとにパチンコ玉を挟持することにより、該パチンコ玉を研磨揚送する玉磨き揚送装置において、
　前記玉通路に沿って揚送される各々の玉列の玉の通過の有無を検出するセンサーを
前記ガイドレールカバーの上部に
　前記駆動制御手段に玉磨き揚送装置の下部においてパチンコ玉の流入を電気的駆動源によって阻止するストッパー装置を接続し、前記搬送ベルトによる搬送動作を停止する際に操作される停止操作手段の指令に基づいて前記電気的駆動源を駆動してストッパー装置を閉成した後前記センサーが玉の通過を検出しなくなって所定時間経過したときに前記モータの駆動を停止するようにしたことを特徴とする玉磨き揚送装置。　」（以下、「本願補正発明」という。）
　　　　　　　　　　　　　　　　　　　　　　　　　　　　　　　
３）補正の適否　　　　　　　　　　　　　　　　　　　　
　本願補正発明は、補正前の請求項１の「前記玉通路に沿って揚送される各々の玉列の玉の通過の有無を検出するセンサーを設けると共に、該センサーからの検出信号を揚送装置を駆動制御する駆動制御手段に入力し」に「前記ガイドレールカバーの上部に」を付加して、「前記玉通路に沿って揚送される各々の玉列の玉の通過の有無を検出するセンサーを前記ガイドレールカバーの上部に設けると共に、該センサーからの検出信号を揚送装置を駆動制御する駆動制御手段に入力し」としたものであるから、本件補正は、特許請求の範囲を減縮するものであり、誤記の訂正もしくは明瞭でない記載の釈明でもない。
　　　　　　　　　　　　　　　　　　　　　　　　　　　　　　　
　したがって、本件補正は、平成１８年法律第５５号改正附則第３条第１項によりなお従前の例によるとされる同法による改正前の特許法第１７条の２第４項第２号の規定に適合する補正と認められる。
　　　　　　　　　　　　　　　　　　　　　　　　　　　　　　　　　
　そこで、本願補正発明が、特許出願の際独立して特許を受けることができるものであるか（上記改正前の特許法第１７条の２第５項において準用する同法第１２６条第５項に適合するか）について以下に検討する。
　　　　　　　　　　　　　　　　　　　　　　　　　　　　　　　
［２］本願補正発明の独立特許要件の適否
（１）引用例について　　　　　　　　　
　先の拒絶理由で引用例４として引用した特開平７−１２４３２５号公報（以下、「引用例」という。）には、以下の技術事項が記載されている。
・記載事項１
　「【０００５】本発明は、球磨揚送機の運転停止時には自動的に揚送路のパチンコ球を空の状態にして研磨部材の交換作業を容易にすると共に、揚送ベルトに球跡が付かないようにするパチンコ球の球磨揚送機を得ることを目的としている。
【０００６】
【課題を解決するための手段】上記目的を達成するために、本発明においては、装置枠の上下に配設した駆動ローラーと従動ローラー間に無端状の揚送ベルトを張架し、装置枠の下部の球誘導路に流入するパチンコ球を揚送ベルトとほぼ球径間隔を設けて対向する研磨部材との間の揚送路で適圧挟持しながら上方へ揚送するうようにしたパチンコ球の球磨揚送機において、前記球誘導路に球磨揚送機の運転停止時のスイッチ操作により作動して揚送路へのパチンコ球の流入を阻止する球止め装置を設けると共に、タイマーにより球止め装置の作動から一定時間経過後に球磨揚送機の全ての電源をオフするようにしたものである。
【０００７】
【作用】球止め装置は、運転停止時のスイッチ操作により作動して揚送路へのパチンコ球の流入を阻止するように働く。一方、タイマーは球止め装置が作動した後、一定時間の間球磨揚送機の運転を続けさせると共に、揚送路のパチンコ球が空の状態になると全ての電源をオフにして球磨揚送機の運転を停止するように作用する。」
・記載事項２
　「【０００８】【実施例】以下、本発明の一実施例について図面を参照して説明する。図１は本発明に係る球磨揚送機の斜視図、図２はその要部の斜視図、図３は図２部分の断面図である。球磨揚送機１は、ベース盤１０上に垂直状に起立する装置枠１１の下部に駆動ローラー１２を、上部に従動ローラー１３を設け、両ローラー１２，１３間に無端状の揚送ベルト１４を掛け渡している。
【０００９】前記駆動ローラー１２は駆動モータ１５によって駆動され、従動ローラー１３は、装置枠１１に回動自在に取付けられている。また、揚送ベルト１４の内側面は図３に示すように凹凸が形成されており、駆動ローラー１２および従動ローラー１３の表面に形成された凹凸と係合して揚送ベルト１４が両ローラー１２，１３と滑り合うことなく移動されるようになつている。
【００１０】前記装置枠１１には揚送ベルト１４の上昇側１４ａに対向して樋状のガイドレール１６を取付け、このガイドレール１６の内側面に研磨部材１７を設けている。この研磨部材１７は図３に示すように毛布，紙，マット等の素材１７ａの表面に布毛１７ｂを植毛等の適宜手段により設けて弾力性をもたせたもので、この研磨部材１７と揚送ベルト１４との間にパチンコ球を適圧挟持しながら上方へ揚送する揚送路１８を形成している。」
・記載事項３
　「【００１２】一方、装置枠１１の下部には駆動ローラー１２の外周のほぼ半周を囲うように円弧状に弯曲した屈曲球通路２０を設けている。また、ベース盤１０上には屈曲球通路２０と連通状に球誘導路２１を形成している。この球誘導路２１は図２に示すように薄帯状板２１ａによりパチンコ球の球径よりも僅かに大きくした複数の球通路２２を形成すると共に、その各球通路２２の中央にパチンコ球を受ける底板２１ｂをそれぞれ配設してスノコ状に形成し、さらに各球通路２２を形成する薄帯状板２１ａの下流側をパチンコ球の重なりを無くすように傾斜面２１ｃを設けて高く形成したものである。従って、球誘導路２１に流入するパチンコ球は薄帯状板２１ａの傾斜面２１ｃに接触していずれかの球通路２２に一列に振分けられながら屈曲球通路２０に導かれて揚送路１８に送り込まれる。なお、図１において２３は揚送ベルト１４のテンションローラー，２４は球出口，２５は球路カバーである。
【００１３】しかして、本発明では、前記球誘導路２１に球止め装置２６を設ける。この球止め装置２６は図４に示すように上面に適当間隔を離して斜面２７を有するカム突起２８，２８を設けた摺動体２９と、該摺動体２９を左右方向に摺動させる電気的駆動源としてのソレノイド３０と、ベース盤１０上に上下動可能に設けられる球止体３１とにより大略構成されている。」
・記載事項４
　「【００１７】前記球止体３１は、摺動体２９が第１位置のとき台車３８のローラー３７，３７がカム突起２８，２８から外れた位置に置かれており、各球止片３６が球通路２２の底板２１ｂより下方に位置してそれぞれの球通路２２を開放するようになつている。また、摺動体２９が第１位置から第２位置に移動すると台車３８のローラー３７，３７がカム突起２８，２８の斜面に接触しながらその上面に乗るようになつており、これによつて球止体３１は軸杆３９を支点に上動し、各球止片３６が球通路２２の底板２１ｂより上方に突出してそれぞれの球通路２２を閉鎖するようになつている。
【００１８】前記駆動モータ１５および球止め装置２６のソレノイド３０は、制御回路を介して図示しない操作盤のスイッチに接続されており、スイッチを切るとソレノイド３０が励磁されると共に、タイマーで設定された一定時間（例えば３０秒）が経過すると駆動モータ１５が停止するように回路設定されている。
【００１９】・・・
【００２０】そして、運転停止時に操作盤のスイッチを切ると、まず球止め装置２６のソレノイド３０が励磁される。このソレノイド３０の励磁により摺動体２９が第１位置から第２位置に移動し、図３鎖線で示すように球止体３１が軸杆３９を支点に上動して各球止片３６，３６により球誘導路２１の球通路２２を閉鎖する。一方、駆動モータ１５はそのまゝ回転を続けて揚送路１８内のパチンコ球を研磨揚送しながら球出口２４から補給系路に送り出す。そして、タイマーにより設定された一定時間（３０秒）が経過して揚送路１８内のパチンコ球が空の状態になると全ての電源がオフとなり、駆動モーター１５が停止すると同時に球止め装置２６のソレノイド３０が消磁されて全運転停止状態になる。
【００２１】【発明の効果】以上のように、本発明のパチンコ球の球磨揚送機によれば、揚送路へパチンコ球を導く球誘導路に球止め装置を設けることによつて、運転停止時のスイッチ操作により自動的に揚送路内を空の状態にしておくことができるため、揚送ベルトに球跡が付くような不都合を解消することができると共に、研磨部材の交換が容易に行なえるようになる。」
　　　　　　　　　　　　　　　　　　　　　　　　　　　　
　以上の記載事項１〜４及び図１〜図６によれば、下記の発明が記載されている（以下、「引用発明」という。）。
　　　　　　　　　　　　　　　　　　　
　「駆動モータ１５によって装置枠１１内において上の従動ローラ１３と下の従動ローラ１２の間に架設されて駆動し回動する揚送ベルト１４と、揚送ベルト１４を覆うように取り付けられ且つパチンコ球を揚送する揚送路１８が形成された樋状のガイドレール１６に装着され、パチンコ球に付着した汚れを拭き取る研磨部材１７とにパチンコ球を挟持することにより、該パチンコ球を研磨揚送し、球磨揚送機１の下部においてパチンコ球の流入をソレノイドによって阻止する球止め装置２６を接続し、前記揚送ベルト１４による搬送動作を停止する際に操作されるスイッチの指令に基づいて前記ソレノイドを駆動して球止め装置２６を閉成した後、一定時間経過したときに前記駆動モータ１５の駆動を停止するようにした球磨揚送機１。」
　　　　　　　　　　　　　　　　　　　　　　　　　　　　　　　
（２）対比
　引用発明と本願補正発明を対比すると、引用発明の「駆動モータ１５」は、本願補正発明の「モータ」に相当し、以下同様に、「揚送ベルト１４」は「搬送ベルト」に、「揚送路」は「玉通路」に、「樋状のガイドレール１６」は「ガイドレールカバー」に、「パチンコ球」は「パチンコ玉」に、「ソレノイド」は「電気的駆動源」に、「球止め装置２６」は「ストッパー装置」に、「所定時間」は「一定時間」に、「球磨揚送機１」は「玉磨き揚送装置」に、それぞれ相当している。
　　　　　　　　　　　　　　　　　　　　　　　　
　そして、引用発明については、以下のことがいえる。
　　　　　　　　　　　　　　　　　　　　　　　　　　　　　　　
　引用発明の揚送ベルト１４は、装置枠１１内において上の従動ローラ１３と下の従動ローラ１２の間に架設されて回転し駆動しており、装置枠１１がパチンコ球を揚送する筒状体を形成していることは明らかであり、かつ、引用発明の「駆動モータ１５」と「揚送ベルト１４」は本願補正発明の「モータ」と「搬送ベルト」に相当しているのであるから、引用発明の「駆動モータ１５によって装置枠１１内において上の従動ローラ１３と下の従動ローラ１２の間に架設されて駆動し回動する揚送ベルト１４」は、本願補正発明の「モータによって揚送筒本体に周回せしめられる搬送ベルト」と実質的に言い換えることができる。
　また、図３に基づけば、引用発明の回転駆動する揚送ベルト１４の研磨部材１７側の周面と研磨部材１７とによりパチンコ球を狭持していること、図５、図６に基づけば、パチンコ球７列の各々が揚送路１８を介して、揚送ベルト１４により揚送されて、パチンコ球に付着した汚れを拭き取っていること、および上記実質的言換事項に基づけば、研磨部材１７は揚送筒本体内においてベルト状に配置されていることは明らかであり、また、引用発明の「揚送ベルト１４」、「揚送路」、「樋状のガイドレール１６」および「パチンコ球」は、本願補正発明の「搬送ベルト」、「玉通路」、「ガイドレールカバー」および「パチンコ玉」に相当しているのであるから、引用発明の「揚送ベルト１４を覆うように取り付けられ且つパチンコ球を揚送する揚送路１８が形成された樋状のガイドレール１６に装着され、パチンコ球に付着した汚れを拭き取る研磨部材１７とにパチンコ球を挟持することにより、該パチンコ球を研磨揚送し」は、本願補正発明の「揚送筒本体の一側の搬送ベルトのベルト周回面を覆うように取り付けられ且つパチンコ球を一列状に揚送する玉通路が複数列形成されたガイドレールカバーに装着され、パチンコ球に付着した汚れを拭き取るベルトとにパチンコ玉を挟持することにより、該パチンコ玉を研磨揚送し」と実質的に言い換えることができる。
　さらに、引用発明においては、球磨揚送機１は、駆動モータ１５により駆動制御され、揚送ベルト１４による搬送動作を停止する際に操作されるスイッチの指令に基づいて前記ソレノイドを駆動して球止め装置２６を閉成した後、所定時間経過したときに前記駆動モータ１５の駆動を停止するようにしている以上、球磨揚送機１は、そのような制御を行い得る駆動制御手段を有していることは明らかであり、かつ、引用発明の「球磨揚送機１」は本願補正発明の「玉磨き揚送装置」に相当しているのであるから、引用発明は、玉磨き揚送装置を駆動制御する駆動制御手段を実質的に具備しているということができる。
　　　　　　　　　　　　　　　　　　　　　　　　　　
　以上を勘案すると、本願補正発明と引用発明は、
　「モータによって揚送筒本体に周回せしめられる搬送ベルトと、前記揚送筒本体の一側のベルト周回面を覆うように取り付けられ且つパチンコ玉を一列状に揚送する玉通路が複数列形成されたガイドレールカバーに装着され、パチンコ玉に付着した汚れを拭き取るベルトとにパチンコ玉を挟持することにより、該パチンコ玉を研磨揚送し、揚送装置を駆動制御する駆動制御手段を備え、
　前記駆動制御手段に玉磨き揚送装置の下部においてパチンコ玉の流入を電気的駆動源によって阻止するストッパー装置を接続し、前記搬送ベルトによる搬送動作を停止する際に操作される停止操作手段の指令に基づいて前記電気的駆動源を駆動してストッパー装置を閉成した後、所定時間経過したときに前記モータの駆動を停止するようにした玉磨き揚送装置。」の点で一致すると共に、以下の点で相違している。
　　　　　　　　　　　　　　　　　　　　　　　　　　　　　　　　　
＜相違点＞
　モータの駆動を停止する際の所定時間経過の起点を、本願補正発明においては、ガイドレールカバーの上部に設けた玉通路に沿って揚送される各々の玉列の玉の通過の有無を検出するセンサーからの検出信号を玉磨き揚送装置を駆動制御する駆動制御手段に入力し、前記センサーが玉の通過を検出しなくなったときとするものであるのに対して、引用発明においては、スイッチの指令に基づいて前記ソレノイドを駆動して球止め装置２６を閉成したときとする点。
　　　　　　　　　　　　　　　　　　　　　　　　　　
（３）判断
　上記相違点について、以下に検討する。
　先の拒絶理由に引用例５として引用した特開平６−３１９８６６号公報の【００１２】【００１５】には、「研磨手段である回転する回転板７上に設けたクリーナーシート８へのパチンコ球の入口の案内樋１６にセンサー１７が設けられ、パチンコ球が案内樋１６内になくなって一定時間が経過すると、モータ５が駆動されなくなる」点が記載され、前置報告時に周知例として示された特開平６−２４３３２４号公報の【００１６】【００２３】には、「メダル送出装置３０の送り円盤３１からメダルを洗浄湯槽に案内して洗浄後、拭き取り部材６０までに搬送する搬送路５０において、送り円盤３１の直後の下流部の搬送路５０にセンサー５１ａを設け、そのセンサー５１ａがメダルの通過を検出しなくなったら所定時間経過するとメダル送出装置３０の駆動モータＭ１への通電を止める」ことが記載され、また、実願平５−４７９８３号（実開平７−１３３９１号）のＣＤ−ＲＯＭの【００１４】【００２３】には、「メダル計数機において、メダルの出口６３の直前のメダルの掻き出しベルト５８に検出センサ６０を設け、２秒以上の間メダルが検知されないと計数すべきメダルが無いと判断して、計数が終了したと見なしている」ことが記載されており、この計数機は、２秒以上メダルが検知されないと計数を停止しているのであるから、検出センサ６０がメダルの通過を検出しなくなってから２秒以上経過すると、メダルの掻き出しベルト６０を実質的に停止させているものと認められる。
　そうすると、特開平６−３１９８６６号公報、特開平６−２４３３２４号公報および実願平５−４７９８３号（実開平７−１３３９１号）のＣＤ−ＲＯＭ等に示されるように、「パチンコ玉やメダル等の遊技媒体の送り手段内に遊技媒体の残留がないように、前記送り手段の遊技媒体の流入口もしくは流出口近傍にセンサーを設け、該センサ検出信号がなくなったときを起点として所定時間が経過したら、残留物が前記送り手段内にないと判断する点」は従来周知の技術ということができる（以下、「周知技術」という。）。
　そうすると、引用発明の球止め装置２６を閉成したとき、所定時間経過の起点とするものに代えて、上記周知技術の「パチンコ玉やメダル等の遊技媒体の送り手段内に遊技媒体の残留がないように、前記送り手段の遊技媒体の流出口近傍にセンサーを設け、該センサーの検出信号がなくなったときを起点として、所定時間が経過したら、残留物が前記送り手段内にないと判断する点」を採用して、ガイドレールカバーの上部に設けた玉通路に沿って揚送される各々の玉列の玉の通過の有無を検出するセンサーからの検出信号を玉磨き揚送装置を駆動制御する駆動制御手段に入力し、モータの駆動を停止する際の所定時間の経過の起点を、前記センサーが玉の通過を検出しなくなったときとすること、すなわち本願補正発明の上記相違点に係る構成とすることは、当業者が容易になし得る程度のことということができる。
　なお、請求人は、「搬送路を形成するガイドレールカバー上部（搬送路の下流部）にセンサーを設けることにより、センサーで被搬送物を検知しなくなって一定時間を経過した後に搬送を停止することにより、搬送路に残留物が残ることがなく、研磨布や搬送ベルトの損傷を防ぐことができる」と主張しているが、上記周知技術においても、センサーを搬送路の下流もしくは上流に設けており、いずれの場合でも一定時間を適宜必要に応じて設定すれば、残留物が搬送路内に残ることがなくなることはセンサーを設けた目的から当然のことであるから、搬送路の下流にセンサーを設けることに伴う作用効果は格別のものがあるとは認められないので、請求人の上記主張は採用できない。
　　　　　　　　　　　　　　　　　　　　　　　　　　　
（４）作用効果とまとめ
　本願補正発明によって奏せられるその他効果も、引用発明および周知技術に基づいて、普通に予測できる範囲内のものであって格別のものがあるとは認められない。
　したがって、本願補正発明は、引用発明および周知技術に基づいて、当業者が容易に想到することができたものであるから、特許法第２９条第２項により特許出願の際独立して特許を受けることができないものである。
　　　　　　　　　　　　　　　　　　　　　　　　　
（５）補正却下の判断
　上記のとおり、本願補正発明は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　　　　　　　　　　　　　　　　　　　　　　　　　　　　　　
３．本願発明について
　平成１９年２月９日付の手続補正は上記のとおり却下されたので、本願の請求項１に係る発明は、平成１７年１１月１４日付の手続補正書の特許請求の範囲の請求項１に記載された以下のとおりのものである（以下、「本願発明」という。）。
　　　　　　　　　　　　　　　　　　　　　　　　　　　　
　「【請求項１】　モータによって揚送筒本体に周回せしめられる搬送ベルトと前記揚送筒本体の一側のベルト周回面を覆うように取り付けられ且つパチンコ玉を一列状に揚送する玉通路が複数列形成されたガイドレールカバーに装着されパチンコ玉に付着した汚れを拭き取るベルトとにパチンコ玉を挟持することにより、該パチンコ玉を研磨揚送する玉磨き揚送装置において、
　前記玉通路に沿って揚送される各々の玉列の玉の通過の有無を検出するセンサーを設けると共に、該センサーからの検出信号を揚送装置を駆動制御する駆動制御手段に入力し、
　前記駆動制御手段に玉磨き揚送装置の下部においてパチンコ玉の流入を電気的駆動源によって阻止するストッパー装置を接続し、前記搬送ベルトによる搬送動作を停止する際に操作される停止操作手段の指令に基づいて前記電気的駆動源を駆動してストッパー装置を閉成した後前記センサーが玉の通過を検出しなくなって所定時間経過したときに前記モータの駆動を停止するようにしたことを特徴とする玉磨き揚送装置。　」
　　　　　　　　　　　　　　　　　　　　　　　　　　　　　　　
（１）引用例について
　引用例の記載事項は、上記「２．平成１９年２月９日付の手続補正についての補正却下の決定、［２］本願補正発明の独立特許要件の適否、（１）引用例について」に記載したとおりである。
　　　　　　　　　　　　　　　　　　　　　　　　　　　　　　　
（２）対比・判断
　本願発明は、本願補正発明の請求項１の「前記玉通路に沿って揚送される各々の玉列の玉の通過の有無を検出するセンサーを前記ガイドレールカバーの上部に設けると共に、該センサーからの検出信号を揚送装置を駆動制御する駆動制御手段に入力し」の「前記ガイドレールカバーの上部に」を削除して、「前記玉通路に沿って揚送される各々の玉列の玉の通過の有無を検出するセンサーを設けると共に、該センサーからの検出信号を揚送装置を駆動制御する駆動制御手段に入力し」としたものである。
　そうすると、本願発明の構成要件をすべて含み、さらに他の構成要素を付加したものに相当する本願補正発明が、上記「２．平成１９年２月９日付の手続補正についての補正却下の決定、［２］本願補正発明の独立特許要件の適否、（２）対比〜（４）作用効果およびまとめ」に記載したとおり、引用発明および周知技術に基づいて、当業者が容易に発明することができたものであるので、本願発明も、同様の理由により、引用発明および周知技術に基づいて、当業者が容易に発明をすることができたものである。
　　　　　　　　　　　　　　　　　　　　　　　　　　　　
（３）むすび
　以上のとおり、本願発明は、引用発明および周知技術に基づいて、当業者が容易に発明をすることができたものであるから、特許法第２９条第２項の規定により特許を受けることができない。
　よって、結論のとおり審決する。